(57)【特許請求の範囲】
【請求項１】
オーディオ情報の記録領域と、前記オーディオ情報を管理するための管理情報の記録領域とを有し、
前記オーディオ情報の記録領域は、オーディオデータが収納された複数のオーディオパックと、前記オーディオデータの再生に同期して再生されるべきテキスト情報が収納された複数のリアルタイム情報パックと、各録音単位毎に前記複数のオーディオパック及び複数のリアルタイム情報パックをまとめ、先頭から２番目のパックとしては、前記リアルタイム情報パックを配列してなる複数のオーディオブジェクトとが記録され、
前記管理情報の記録領域は、前記オーディオデータを再生する再生装置を制御するために用いられる情報であって、前記オーディオオブジェクトをそれぞれ指定するエントリー情報を含むオブジェクト情報と、前記オブジェクト情報に含まれており、このオブジェクト情報により指定されるオーディオオブジェクトと対応して再生されるリアルタイム情報パックとの同期情報とが記録されるように構成され、オーディオ情報処理装置で読み取り可能な記録媒体。
【請求項２】
オーディオ情報の記録領域と前記オーディオ情報を管理するための管理情報の記録領域とを有する情報記録媒体に、前記オーディオ情報及び管理情報を記録する方法であって、
オーディオデータが収納された複数のオーディオパックを生成し、
前記オーディオデータの再生に同期して再生されるべきテキスト情報が収納された複数のリアルタイム情報パックを生成し、
各録音単位毎に前記複数のオーディオパック及び複数のリアルタイム情報パックをまとめ、先頭から２番目のパックとしては、前記リアルタイム情報パックを配列してなる複数のオーディオブジェクトとを生成し、
前記オーディオオブジェクトを前記オーディオ情報の記録領域に記録し、
前記オーディオデータを再生する再生装置を制御するために用いられる情報であって、前記オーディオオブジェクトをそれぞれ指定するエントリー情報を含むオブジェクト情報を生成し、
前記オブジェクト情報に含まれるように、このオブジェクト情報により指定されるオーディオオブジェクトと対応して再生されるリアルタイム情報パックとの同期情報を生成し、
前記オブジェクト情報を前記管理領域に記録する
ことを特徴とする音声情報の記録方法。
【請求項３】
記録媒体の管理領域の管理情報を参照して、前記オーディオ情報が記録された記録領域の前記オーディオ情報を再生する再生装置であって、
前記オーディオ情報の記録領域は、オーディオデータが収納された複数のオーディオパックと、前記オーディオデータの再生に同期して再生されるべきテキスト情報が収納された複数のリアルタイム情報パックと、各録音単位毎に前記複数のオーディオパック及び複数のリアルタイム情報パックをまとめ、先頭から２番目のパックとしては、前記リアルタイム情報パックを配列してなる複数のオーディオブジェクトとが記録され、
前記管理情報の記録領域は、前記オーディオデータを再生する再生装置を制御するために用いられる情報であって、前記オーディオオブジェクトをそれぞれ指定するエントリー情報を含むオブジェクト情報と、前記オブジェクト情報に含まれており、このオブジェクト情報により指定されるオーディオオブジェクトと対応して再生されるリアルタイム情報パックとの同期情報とが記録されるように構成されており、前記再生装置は、
前記管理情報を読み取り、前記所定のオーディオオブジェクトをアクセスして読み取る手段と、
読取った前記所定のオーディオオブジェクトの少なくとも２番目のパックであるリアルタイム情報パックをリアルタイムテキストでコード部に転送し、
読取った前記所定のオーディオオブジェクトのオーディオパックをオーディオデコード部へ転送する手段と
を具備したことを特徴とするオーディオ情報再生装置。
【発明の詳細な説明】
【０００１】
【発明の属する技術分野】
本発明は、（例えば歌の歌詞カードのような）音声情報に同期して表示することが可能なテキスト情報を音声情報と一緒に取り扱うことができる、オーディオ情報の記録媒体と記録方法及び再生装置に関する。
【０００２】
【従来の技術】
歌の歌詞カードのような音声情報に同期して表示することが可能なテキスト情報を音声情報と一緒に情報記憶媒体に記録する方法として  ＤＶＤ  Ａｕｄｉｏの規格が存在する。
【０００３】
この規格に依れば音声情報をパケット（Ａｕｄｉｏ  Ｐａｃｋ）形式で情報記憶媒体上に記録すると共に、この音声情報に同期して表示するテキスト情報を同じくパケット形式（Ｒｅａｌ−Ｔｉｍｅ  Ｉｎｆｏｒｍａｔｉｏｎ  Ｐａｃｋ）にして上記音声情報パケット（Ａｕｄｉｏ  Ｐａｃｋ）と混在して情報記憶媒体上に記録している。再生時にはこのパケットと共に記録するパケットヘッダー内のＰＴＳ（Ｐｒｅｓｅｎｔａｔｉｏｎ  Ｔｉｍｅ  Ｓｔａｍｐ）を利用して上記音声情報とテキスト情報の同期を取って表示している。
【０００４】
【発明が解決しようとする課題】
上記ＤＶＤ  Ａｕｄｉｏの規格は再生専用な情報記憶媒体に対する規格であるため、ユーザーによる編集処理に対応していない。例えば上記のＤＶＤ  Ａｕｄｉｏの規格に基付き音声情報とテキスト情報がパケット形式で混在記録された情報を書き換え可能な情報記憶媒体上にコピーした後、音声情報を基準にして部分消去や分割などの編集を行うと、部分的に音声情報とテキスト情報間の同期関係が崩れる場合がある。その結果、音声情報を基準にして部分消去や分割などの編集を行った後では再生開始直後・再生終了直前ないしは切り替わり目で音声情報に同期したテキスト情報が表示されない危険性が生じる。
【０００５】
本発明の目的は、オーディオ情報と同期して再生すべきテキスト情報の同期状態を、確実かつスムーズに得られるようにしたオーディオ情報の記録媒体と記録方法及び再生装置を提供することにある。
【０００６】
【課題を解決するための手段】
上記目的を達成するために、本発明では、基本となる記録媒体が、オーディオ情報の記録領域と、前記オーディオ情報を管理するための管理情報の記録領域とを有し、前記オーディオ情報の記録領域は、オーディオデータが収納された複数のオーディオパックと、前記オーディオデータの再生に同期して再生されるべきテキスト情報が収納された複数のリアルタイム情報パックと、各録音単位毎に前記複数のオーディオパック及び複数のリアルタイム情報パックをまとめ、先頭から２番目のパックとしては、前記リアルタイム情報パックを配列してなる複数のオーディオブジェクトとが記録され、前記管理情報の記録領域は、前記オーディオデータを再生する再生装置を制御するために用いられる情報であって、前記オーディオオブジェクトをそれぞれ指定するエントリー情報を含むオブジェクト情報と、前記オブジェクト情報に含まれており、このオブジェクト情報により指定されるオーディオオブジェクトと対応して再生されるリアルタイム情報パックとの同期情報とが記録されるように構成されている。上記の構成により、オブジェクトにおいては、リアルタイム情報パックが早めに読み取り及びでコード可能となる。
【０００７】
【発明の実施の形態】
本発明の実施の形態について図１と図９を用いて説明する。ＤＶＤ  Ａｕｄｉｏ規格では音声情報はＡｕｄｉｏ  Ｐａｃｋ（Ａ＿ＰＣＫ）にパッキングして記録し、その音声情報に同期して再生されるテキスト情報はＲｅａｌ  Ｔｉｍｅ  Ｉｎｆｏｒｍａｔｉｏｎ  Ｐａｃｋ（ＲＴＩ＿ＰＣＫ）の形式で混在記録されている。
【０００８】
本発明の第１の発明手段では、このＤＶＤ  Ａｕｄｉｏ規格に基付いて記録された音声関連情報をそのままの形で書き換え可能な情報記憶媒体上に記録する（ＳＴ０１）。情報記憶媒体上に記録する各情報の記録形式は図７に示す。書き換え可能な情報記憶媒体での最少書き換え単位は２０４８バイトであり、各２０４８バイト毎にＰａｃｋを構成し、各Ｐａｃｋの先頭にはＰａｃｋ  Ｈｅａｄｅｒ  ５０１が配置されている。このＰａｃｋ  ｈｅａｄｅｒ  ５０１内には情報記録再生装置のシステムクロック値を設定するＳＣＲ（Ｓｙｓｔｅｍ  Ｃｌｏｃｋ  Ｒｅｆｆｅｒｅｎｃｅ）値５１２が記録されている。
【０００９】
この実施の形態では１Ｐａｃｋ内に１個のみのＰａｃｋｅｔが記録される構造となっており、図７（ｂ）に示す“各種Ｏｂｊｅｃｔ  ｄａｔａ  ５０５”の記録位置に音声情報やそれと同期して再生されるテキスト情報が記録される。各Ｐａｃｋｅｔの先頭にはＰａｃｋｅｔ  Ｈｅａｄｅｒ  ５０３とｓｕｂ＿ｓｔｒｅａｍ＿ｉｄ  ５０４が記録され、それらとＰａｃｋ  Ｈｅａｄｅｒ  ５０１の間にＳｙｓｔｅｍ  Ｈｅａｄｅｒ  ５０２が配置されている。
【００１０】
各種Ｏｂｊｅｃｔ  ｄａｔａ  ５０５の記録領域内に記録される情報の種類（音声情報かテキスト情報かなど）は、ｓｔｒｅａｍ＿ｉｄ  ５２２とｓｕｂ＿ｓｔｒｅａｍ＿ｉｄ  ５０４の情報内容で明記されている。またそれぞれのＯｂｊｅｃｔ  ｄａｔａ  ５０５の表示タイミングはＰＴＳ（Ｐｒｅｓｅｎｔａｔｉｏｎ  Ｔｉｍｅ  Ｓｔａｍｐ）値５２５で設定されており、このＰＴＳ値５２５を利用して音声情報とテキスト情報間の同期した表示が可能となる。
【００１１】
図１（ａ），（ｂ）の実施の形態では“あんどう”と言うテキスト情報がＲＴＩ＿ＰＣＫ  ＃１内に記録され、４：００に表示される事になっており、“さんは”と言うテキスト情報がＲＴＩ＿ＰＣＫ  ＃２内に記録され、４：０３に表示される事になっている。音声情報に対する管理単位として１個以上のＡｕｄｉｏ  Ｐａｃｋ（Ａ＿ＰＣＫ）から構成される音声情報の最小単位（Ａｕｄｉｏ  Ｏｂｊｅｃｔ  Ｅｎｔｒｙ）を有する。
【００１２】
図１、図２の実施の形態では、この最小単位（Ａｕｄｉｏ  Ｏｂｊｅｃｔ  Ｅｎｔｒｙ）の境界位置での音声情報表示時刻とテキスト情報の切り替え時刻が一致するように設定されている。上記音声情報関連情報に関する管理情報記録領域内のデーター構造および音声情報関連情報（Ｏｂｊｅｃｔ情報）の記録形式はＤＶＤフォーラムから１９９９年９月に発行された『Ｐａｒｔ  ３  ＶＩＤＥＯ  ＲＥＣＯＲＤＩＮＧ  ＤＶＤ  Ｓｐｅｃｉｆｉｃａｔｉｏｎｓ  ｆｏｒ  Ｒｅｗｒｉｔａｂｌｅ／Ｒｅ−ｒｅｃｏｒｄａｂｌｅ  Ｄｉｓｃｓ』に準拠している。
【００１３】
すなわち、図５に示すように情報記憶媒体に記録する全ての音声情報関連情報（Ｏｂｊｅｃｔ情報）はＡＲ＿ＡＵＤＩＯ．ＡＲＯ  ２２１のファイル内にまとめて記録され、そのファイル内の管理情報はＶＲ＿ＭＡＮＧＲ．ＩＦＯ  ２１１ファイルとそのバックアップファイルであるＶＲ＿ＭＡＮＧＲ．ＢＵＰ  ２１５ファイル内にまとめて記録されている。このＶＲ＿ＭＡＮＧＲ．ＩＦＯ  ２１１ファイルとＶＲ＿ＭＡＮＧＲ．ＢＵＰ  ２１５ファイル内のデーター構造は図４に示す構造となっている。
【００１４】
図４に示したデーター構造についてはＤＶＤフォーラムから１９９９年９月に発行された『Ｐａｒｔ  ３  ＶＩＤＥＯ  ＲＥＣＯＲＤＩＮＧ  ＤＶＤ  Ｓｐｅｃｉｆｉｃａｔｉｏｎｓ  ｆｏｒ  Ｒｅｗｒｉｔａｂｌｅ／Ｒｅ−ｒｅｃｏｒｄａｂｌｅ  Ｄｉｓｃｓ』に詳細に記載されているので、ここでの説明を省略する。
【００１５】
本発明の実施の形態では音声関連情報に関する関連情報は、図４（ｅ）に示すＡｕｄｉｏ  ＡＶ  Ｆｉｌｅ  Ｉｎｆｏｒｍａｔｉｏｎ  Ｔａｂｌｅ  １４３内にまとめて記録されている。各録音単位毎にＡｕｄｉｏ  Ｏｂｊｅｃｔ（ＡＯＢ）を構成し、各ＡＯＢ毎にＡｕｄｉｏ  Ｏｂｊｅｃｔ  Ｉｎｆｏｒｍａｔｉｏｎ  ＃１  １６６〜＃ｊ  １６７として分かれて記録されている。１個のＡｕｄｉｏ  Ｏｂｊｅｃｔ  Ｉｎｆｏｒｍａｔｉｏｎ  ＃ｎ内のデーター構造を図１（ｄ）に示す。
【００１６】
前述したように音声情報はＡｕｄｉｏ  Ｏｂｊｅｃｔ  Ｅｎｔｒｙと言う管理単位を有し、各Ａｕｄｉｏ  Ｏｂｊｅｃｔ  Ｅｎｔｒｙ毎のデーターサイズ（Ｄａｔａ  Ｓｉｚｅ）３１１〜３２０と表示時間（Ｐｌａｙｂａｃｋ  Ｔｉｍｅ）３３１〜３４０が記録されている。歌の歌詞などは“ドイツ語”“日本語訳”“英語表現”など複数種類のテキスト情報が音声情報に付属されている場合がある。
【００１７】
図１（ｄ）では音声情報に付属するテキスト情報の種類数がＲｅａｌ−Ｔｉｍｅ  Ｔｅｘｔの種類数３０７に記録される。例えば図１（ｄ）で設定されたＲｅａｌ−Ｔｉｍｅ  Ｔｅｘｔの種類数３０７が“ｇ個”指定された場合には、各Ａｕｄｉｏ  Ｏｂｊｅｃｔ  Ｅｎｔｒｙの先頭位置の音声情報が表示される時刻に同時に表示されるテキスト情報が記録されているＲｅａｌ−Ｔｉｍｅ  Ｉｎｆｏｒｍａｔｉｏｎ  Ｐａｃｋ（ＲＴＩ＿ＰＣＫ）が記録されている相対アドレス値を示すＲＴ＿Ｔｅｘｔ＿ＰａｃｋのＡｄｄｒｅｓｓ  Ｏｆｆｓｅｔ  ３５１〜３６０が１個のＡｕｄｉｏ  Ｏｂｊｅｃｔ  Ｅｎｔｒｙ毎に“ｇ個”ずつ記録される。
【００１８】
本発明における情報記録再生装置内の構造を図８に示す。図８では再生・表示時に基準クロックカウンターとして使用するＳＴＣ（Ｓｙｓｔｅｍ  Ｔｉｍｅ  Ｃｌｏｃｋ）を個別に３個持ち、異なるＰＴＳを持った音声情報、テキスト情報、静止画像情報を同時再生可能にした所に大きな特徴がある。録音時の図１（ｄ）に示した情報の作成方法について図９を用いて説明する。
【００１９】
図９に示すように情報記憶媒体上に記録した情報に対して再生し、ｓｔｒｅａｍ＿ｉｄ  ５２２、ＰＴＳ値５２５、各パックの記録位置アドレス情報から図１（ｄ）の情報を作成する。
【００２０】
図１の実施の形態では、テキスト情報の表示切り替わりタイミングに合わせてＡｕｄｉｏ  Ｏｂｊｅｃｔ  Ｅｎｔｒｙを分割しているが、本発明の別の実施の形態として特定の再生時間間隔でＡｕｄｉｏ  Ｏｂｊｅｃｔ  Ｅｎｔｒｙを分割することも出来る。
【００２１】
その時の記録方法を図１０に示す。この場合にはＡｕｄｉｏ  Ｏｂｊｅｃｔ  Ｅｎｔｒｙの開始位置での音声情報再生時刻ではテキスト情報が表示途中の場合が生じる。図１０のＳＴ１４で示すように各Ａｕｄｉｏ  Ｏｂｊｅｃｔ  Ｅｎｔｒｙの開始位置での音声情報再生時刻直前のＰＴＳを持つＲｅａｌ−Ｔｉｍｅ  Ｉｎｆｏｒｍａｔｉｏｎ  Ｐａｃｋ位置を探してＴＲ＿Ｔｅｘｔ＿ＰａｃｋのＡｄｄｒｅｓｓ  Ｏｆｆｓｅｔ  ３５１〜３５４として記録する所に特徴がある。
【００２２】
図１に示した実施の形態の管理情報を持つ情報記憶媒体からの音声関連情報の再生方法について図１１に示す。再生するＡｕｄｉｏ  Ｏｂｊｅｃｔ（ＡＯＢ）番号と再生範囲を時間情報で指定すると（ＳＴ２１）、上記管理情報を利用してアクセス開始アドレスを算出する（ＳＴ２２）。この時、Ａｕｄｉｏ  Ｐａｃｋ（Ａ＿ＰＣＫ）のアクセスアドレスとＲｅａｌ  Ｔｉｍｅ  Ｉｎｆｏｒｍａｔｉｏｎ  Ｐａｃｋ（ＲＴＩ＿ＰＣＫ）のアクセスアドレスを算出し、アドレスの若い方を算出アドレスと決定される。
【００２３】
例えば  ４：０３  からアクセスする場合にはこの時刻に表示する各Ｐａｃｋのアドレスは図１（ｂ）によれば“Ｐ＋Ｑ”と“Ｐ＋Ｑ＋１”なので、若い方の“Ｐ＋Ｑ”にアクセスすれば良い事になる。また、４：１０から再生開始したい場合は、４：１０に表示するＡｕｄｉｏ  Ｐａｃｋ（Ａ＿ＰＣＫ）のアドレスは“Ｐ＋Ｔ”に対して、同時刻に表示するＲｅａｌ  Ｔｉｍｅ  Ｉｎｆｏｒｍａｔｉｏｎ  Ｐａｃｋ（ＲＴＩ＿ＰＣＫ）が記録されているアドレスは“Ｐ＋Ｓ＋２”と先行しているので、“Ｐ＋Ｔ”からアクセスしたらＲＴＩ＿ＰＣＫ  ＃４のテキスト情報が表示不可能となる。従って若い方のアドレスとしてアクセス先のアドレスは“Ｐ＋Ｓ＋２”と設定する必要がある。
【００２４】
本発明の実施の形態において音声関連情報の部分消去や分割・並び替えなどの編集処理では、基本的に管理上はＡｕｄｉｏ  Ｏｂｊｅｃｔ（ＡＯＢ）を分割した後、分割後の該当ＡＯＢのファイルからの削除処理を行ったり、ファイル内の並び替え処理を行う。本発明の実施の形態における部分消去方法について図２と図１２を用いて説明する。
【００２５】
例として図１に示したＡＯＢ＃ｎに対して３分割し、前半と後半を削除する方法について説明する。ユーザーから部分消去範囲を時間情報で指定（ＳＴ３１）される。ディスクドライブ部４０９は、情報記憶媒体４００上に記録されているＶＲ＿ＭＡＮＧＲ．ＩＦＯ  ２１１ファイルを再生し（ＳＴ３２）、ＳＴ３３〜ＳＴ３９によりワークＲＡＭ内で一時記憶された管理情報内容を書き換える。
【００２６】
図１（ｄ）でのＡｕｄｉｏ  Ｏｂｊｅｃｔ  Ｇｅｎｅｒａｌ  Ｉｎｆｏｒｍａｔｉｏｎ  １７０内のＡＯＢ  ＃ｎのＭｏｄｉｆｉｅｄ  Ｒｅｃｏｒｄｉｎｇ  ｔｉｍｅ  ３０２では紙面のスペースの関係で録音開始の時間と分しか記載してないが、本発明の実施の形態では録音した日の西暦年号と録音月日も同じ場所に記録している。また、編集前後での関係を明らかにするために各ＡＯＢ毎のＩＤ番号３０１を記録するが、この欄には同日録音日内のＡＯＢ毎の録音番号３０１を記録しても良い。
【００２７】
図２（ａ）に示すように例えば再生時刻  ４：０５より前に録音した部分を部分消去する場合には、部分消去後の再生開始時刻が４：０５となるので、図３のＡｕｄｉｏ  Ｏｂｊｅｃｔ  Ｉｎｆｏｒｍａｔｉｏｎ  ＃ｍ＋１のようにＡＯＢ  ＃ｍ＋１のＭｏｄｉｆｉｅｄ  Ｒｅｃｏｒｄｉｎｇ  ｔｉｍｅ  ３８２は４：０５に変更される（図１２ＳＴ３３）。
【００２８】
図２（ａ）から分かるようにこの時の最初に録音開始時間からの時間差は５分有るので、図３のＡｕｄｉｏ  Ｏｂｊｅｃｔ  Ｉｎｆｏｒｍａｔｉｏｎ  ＃ｍ＋１のＯｒｉｇｉｎａｌ  Ｒｅｃｏｒｄｉｎｇ  ｔｉｍｅ  Ｄｉｆｆｅｒｅｎｃｅ  ３８３は５分となる。例えば、今回の編集結果作成したＡＯＢ（Ａｕｄｉｏ  Ｏｂｊｅｃｔ）＃ｍ＋１に対して更に前半５分を部分消去すると、このＭｏｄｉｆｉｅｄ  Ｒｅｃｏｒｄｉｎｇ  ｔｉｍｅ  ３８２は１４：１０と変更されると共にＯｒｉｇｉｎａｌ  Ｒｅｃｏｒｄｉｎｇ  ｔｉｍｅ  Ｄｉｆｆｅｒｅｎｃｅ  ３８３は更に５分加算されて１０分となる。その結果、最初に録音を開始した時刻は１４：００のままになっている。
【００２９】
従ってこのＭｏｄｉｆｉｅｄ  Ｒｅｃｏｒｄｉｎｇ  ｔｉｍｅ  ３８２とＯｒｉｇｉｎａｌ  Ｒｅｃｏｒｄｉｎｇ  ｔｉｍｅ  Ｄｉｆｆｅｒｅｎｃｅ  ３８３からＡＯＢ＃ｍ＋１の最初に録画開始した年月日と録画開始時間が一意的に定まり、この時間情報は何度編集を繰り替えしても不変に保たれる。
【００３０】
部分消去後のＡＯＢ＃ｍ＋１の再生開始時刻は４：０５となり、この再生時刻で表示するＡｕｄｉｏ  Ｐａｃｋ  ＃  Ｒ−２が記録されているアドレスは“Ｐ＋Ｒ”である。しかし、４：０５の時点で再生しているテキスト情報が記録されているＲＴＩ＿ＰＣＫ  ＃２のアドレスはそれよりも“Ｒ−Ｑ−１”の差分だけ前方のアドレス位置に記録されている（図１２のＳＴ３４）。
【００３１】
従って部分消去後もこの情報が残っている必要が有るので、図３に示すようにＡＯＢ＃ｍ＋１のＳｔａｒｔ  ａｄｄｒｅｓｓ  ３８４はこのＲｅａｌ−Ｔｉｍｅ  Ｉｎｆｏｒｍａｔｉｏｎ  Ｐａｃｋ  ＃２が記録されているアドレス“Ｐ＋Ｑ＋１”となる（図１２のＳＴ３５）。このＡＯＢ＃ｍ＋１の先頭アドレスに対するＡＯＢ＃ｍ＋１の最初に再生するＡｕｄｉｏ  Ｐａｃｋ  ＃  Ｒ−２が記録されているアドレス差をＳｔａｒｔ  Ａｄｄｒｅｓｓ  Ｏｆｆｓｅｔ  ３８６に記録し、図３では“Ｒ−Ｑ−１”となる（ＳＴ３６）。
【００３２】
この値はＡｕｄｉｏ  Ｏｂｊｅｃｔ  Ｅｎｔｒｙ  ＃１  １７６のＲＴ＿Ｔｅｘｔ＿ＰａｃｋのＡｄｄｒｅｓｓ  Ｏｆｆｓｅｔｔ  ３５７の値と絶対値は一致する。ＲＴ＿Ｔｅｘｔ＿ＰａｃｋのＡｄｄｒｅｓｓ  Ｏｆｆｓｅｔ  ３５７はＡｕｄｉｏ  Ｏｂｊｅｃｔ  Ｅｎｔｒｙ  ＃１  １７６の先頭に有るＡｕｄｉｏ  Ｐａｃｋ位置を基準としたＲＴ＿Ｔｅｘｔ＿Ｐａｃｋ  ＃２の記録位置方向を極性で表している。図２（ａ）の実施の形態ではＲＴ＿Ｔｅｘｔ＿Ｐａｃｋ  ＃２はＡｕｄｉｏ  Ｐａｃｋ  ＃  Ｒ−２よりも前方に有るので“負極性”になるように設定している。
【００３３】
さらに図１（ｄ）に示した部分消去前のＡｕｄｉｏ  Ｏｂｊｅｃｔ  Ｅｎｔｒｙ  ＃１  １７１〜＃４１７４の不要部分を削除すると共に一部を書き換えて図３に示すＡｕｄｉｏ  Ｏｂｊｅｃｔ  Ｅｎｔｒｙ  ＃１  １７６〜＃３  １７８を完成させる（ＳＴ３８）。
【００３４】
本発明の実施の形態において特定のテキスト情報を削除する場合には図１３のＳＴ５３に示したように、削除したいテキスト情報が記録されているＲｅａｌ−Ｔｉｍｅ  Ｉｎｆｏｒｍａｔｉｏｎ  Ｐａｃｋ内のＯｂｊｅｃｔ  ｄａｔａ  ５０５（図７（ｂ））部分のみを直前のＲｅａｌ−Ｔｉｍｅ  Ｉｎｆｏｒｍａｔｉｏｎ  Ｐａｃｋ内の  Ｏｂｊｅｃｔ  ｄａｔａ  ５０５の情報に書き換える。
【００３５】
本発明の他の実施の形態であり、本発明の第２の手段である、「２．書き換え可能な情報記憶媒体上にコピーする場合には音声情報パケットだけから構成される音声情報ファイル（図１４のＡＲ＿ＡＵＤＩＯ．ＡＲＯ  ２２１）とテキスト情報パケットだけから構成されるリアルタイムテキスト情報ファイル（図１４のＡＲ＿ＲＴ＿ＴＥＸＴ．ＡＲＯ  ２２２）に分離記録すると共に、両者間の同期関係を確保するためにテキスト情報に関する表示時間管理情報を管理情報記録領域内に記録する（図１４〜図２０が対応）。」について下記に説明する。
【００３６】
図１６に示すようにＤＶＤ  Ａｕｄｉｏの音声関連情報であるＯｂｊｅｃｔ情報（図１６（ｃ））を書き換え可能な情報記憶媒体にコピーする場合には図７（ｃ）に示したｓｔｒｅａｍ＿ｉｄ  ５２２を利用してＡｕｄｉｏ  ＰａｃｋかＲｅａｌ−Ｔｉｍｅ  Ｉｎｆｏｒｍａｔｉｏｎ  Ｐａｃｋかを識別し、それぞれを別ファイルに記録する。その結果、この実施の形態によれば図５に示したファイル構造に比べてテキスト情報のみを集めたＡＲ＿ＲＴ＿ＴＥＸＴ．ＡＲＯ  ２２２ファイルが追加される。
【００３７】
さらにこの実施の形態によれば管理情報のデーター構造は図４に比べて図１５に示すようにＲｅａｌ−Ｔｉｍｅ  Ｔｅｘｔ  ＡＶ  Ｆｉｌｅ  Ｉｎｆｏｒｍａｔｉｏｎ  １５９が追加され、その中の時間管理情報として図１５（ｈ）に示すように一連のＲｅａｌ−Ｔｉｍｅ  Ｔｅｘｔ  Ｏｂｊｅｃｔ  Ｅｎｔｒｙ  ＃１  １９１〜＃ｈ  １９８の情報が追加される。
【００３８】
図１７（ｃ）に示すようにこの実施の形態ではテキスト情報が記録されている１個以上のＲｅａｌ−Ｔｉｍｅ  Ｐａｃｋを集めて管理単位としてのＲｅａｌ−Ｔｉｍｅ  Ｔｅｘｔ  Ｏｂｊｅｃｔ  Ｅｎｔｒｙ  ＃１  １９１〜＃３  １９３とし、このＲｅａｌ−Ｔｉｍｅ  Ｔｅｘｔ  Ｏｂｊｅｃｔ  Ｅｎｔｒｙ  ＃１  １９１〜＃３  １９３毎の表示時間とデーターサイズを管理（図１７（ｄ））している。この実施の形態に基付く記録方法を図１８に示すようにＡｕｄｉｏ  Ｐａｃｋの情報記憶媒体上への記録（ＳＴ６１）と、Ｒｅａｌ−Ｔｉｍｅ  Ｉｎｆｏｒｍａｔｉｏｎ  Ｐａｃｋの記録（ＳＴ６２）を分ける。
【００３９】
この実施の形態では、ＡＲ＿ＡＵＤＩＯ．ＡＲＯ  ２２１と言うファイルとＡＲ＿ＲＴ＿ＴＥＸＴ．ＡＲＯ  ２２２ファイルの異なる位置に記録された情報を順次再生し、音声とテキストを同時に再生する必要が生じる。従って、図１９に示すようにＡＲ＿ＲＴ＿ＴＥＸＴ．ＡＲＯ  ２２２ファイル内の情報の一部を先に再生してＲＴ＿Ｔｅｘｔデコード部４２９（図８）へ転送し（ＳＴ７５）、Ａｕｄｉｏ  Ｐａｃｋを再生しながら同時に表示する（ＳＴ７９）所がこの実施の形態の大きな特徴である。
【００４０】
この実施の形態の場合にはＡｕｄｉｏ  Ｐａｃｋの記録、再生、編集のみしか行わない情報記録再生装置でＡＲ＿ＡＵＤＩＯ．ＡＲＯ  ２２１ファイルのみを部分消去し、ＡＲ＿ＲＴ＿ＴＥＸＴ．ＡＲＯ  ２２２ファイルとの同期関係が崩れる場合がある。この場合にはテキスト情報を表示する機能を有する情報記録再生装置でこの同期関係を修復する必要が生じる。
【００４１】
圧縮オーディオ情報を用いた場合の同期関係修復の難しさについて図６を用いて説明する。同一日の１４：００に最初にＡＯＢ＃１を録音（録音番号３０１＝１）した後、１４：３０に次の録音として（録音番号３０１＝２）ＡＯＢ＃２を録音開始したとする。
【００４２】
この時のＭｏｄｉｆｉｅｄ  Ｒｅｃｏｒｄｉｎｇ  ｔｉｍｅはそれぞれ１４：００と１４：３０となる。所で、ＡＯＢ＃１が圧縮されて記録されていた場合には録音に所用する時間より再生時間が遥かに長い場合が有る。従ってＡＯＢ＃１を連続再生した場合に再生換算時間１４：４５を境に前半を部分消去する場合が発生する。この編集後のＭｏｄｉｆｉｅｄ  Ｒｅｃｏｒｄｉｎｇ  ｔｉｍｅは１４：４５となり、ＡＯＢ＃２のＭｏｄｉｆｉｅｄ  Ｒｅｃｏｒｄｉｎｇ  ｔｉｍｅ  １４：３０より遅くなってしまう。
【００４３】
このようにＡＯＢ番号やＭｏｄｉｆｉｅｄ  Ｒｅｃｏｒｄｉｎｇ  ｔｉｍｅのみの情報では、ＡＲ＿ＡＵＤＩＯ．ＡＲＯ  ２２１ファイルのみを部分消去した後に、テキスト情報を表示する機能を有する情報記録再生装置でこの同期関係を修復する事が困難となる。
【００４４】
従って本発明の実施の形態ではＩＤ番号または同一録音日内の録音番号３０１やＯｒｉｇｉｎａｌ  Ｒｅｃｏｒｄｉｎｇ  ｔｉｍｅ  Ｄｉｆｆｅｒｅｎｃｅ  ３０３の情報を持ち、何度編集を行っても不変に保たれる録画開始年月日と時刻情報を基準にＡＲ＿ＡＵＤＩＯ．ＡＲＯ２２１ファイル内の情報とＡＲ＿ＲＴ＿ＴＥＸＴ．ＡＲＯ  ２２２ファイル内の情報の同期関係の修復を可能としている。
【００４５】
具体的な関係修復方法を図２０に示す。図２０のＳＴ９４に示すように最初に記録した時間と一致するＡｕｄｉｏ  Ｏｂｊｅｃｔを探し、そのＡｕｄｉｏ  Ｏｂｊｅｃｔの編集状況に合わせて管理情報内容を変更する（ＳＴ９６）と共にＡＲ＿ＲＴ＿ＴＥＸＴ．ＡＲＯ  ２２２の不要部分を削除処理する。
【００４６】
【発明の効果】
以上説明したように本発明における効果をまとめると下記の通りとなる。
【００４７】
１．Ａｕｄｉｏ  ＯｂｊｅｃｔとＲｅａｌ−Ｔｉｍｅ  Ｔｅｘｔ  Ｏｂｊｅｃｔ間の同期情報を持つことでアクセスが早くなると共に部分消去、分割などの編集処理が高速で行える。
【００４８】
図１〜図５と図９〜図１３で示した方式の場合、ＲＴ＿Ｔｅｘｔ＿ＰａｃｋのＡｄｄｒｅｓｓ  Ｏｆｆｓｅｔ  ３５１〜３６０がＡｕｄｉｏ  ＯｂｊｅｃｔとＲｅａｌ−Ｔｉｍｅ  Ｔｅｘｔ  Ｏｂｊｅｃｔ間の同期情報に対応し、図１４〜図２０で示した方式ではＡｕｄｉｏ  Ｏｂｊｅｃｔ  Ｅｎｔｒｙ  １７１〜１７９とＲｅａｌ−Ｔｉｍｅ  Ｔｅｘｔ  Ｏｂｊｅｃｔ  Ｅｎｔｒｙ  １９１、１９２のそれぞれの再生時間の管理情報の組み合わせがＡｕｄｉｏ  ＯｂｊｅｃｔとＲｅａｌ−Ｔｉｍｅ  Ｔｅｘｔ  Ｏｂｊｅｃｔ間の同期情報に対応する。
【００４９】
指定された特定の再生時刻から再生開始するタイムサーチや早送り、巻き戻しなどの特殊再生を行う場合には、上記管理情報から指定時刻に表示する音声情報とテキスト情報がどのアドレスに記録されているかを調べ、必要最小限のアドレスにアクセスすることが可能となる。その結果、ディスクドライブ部４００では情報記憶媒体４００へのアクセスが早くなり、タイムサーチでの頭出し速度が上がるだけでなく非常に高速な早送りや巻き戻し時にもテキスト情報を表示可能となる。
【００５０】
また部分消去や分割などの編集時には、図２、図３に示すようにＡｕｄｉｏ  Ｏｂｊｅｃｔ（ＡＯＢ）の分割処理が必要となるが、本発明のように管理情報記録領域内にＡｕｄｉｏ  ＯｂｊｅｃｔとＲｅａｌ−Ｔｉｍｅ  Ｔｅｘｔ  Ｏｂｊｅｃｔ間の同期情報を持っているので、管理情報記録領域内の情報を検索するだけで任意の再生時刻に表示する音声情報とテキスト情報が記録されているアドレスが分かり、任意の位置での編集後のＡｕｄｉｏ  Ｏｂｊｅｃｔ（ＡＯＢ）の分割境界位置が分かる。
【００５１】
従って本発明によれば音声情報とテキスト情報が記録されているＯｂｊｅｃｔ  Ｆｉｌｅを検索する事無く管理情報記録領域内に記録された同期情報を調査するだけで編集時の分割境界位置が分かり、編集処理を高速で行える。
【００５２】
２．本発明の実施の形態のようにＲｅａｌ−Ｔｉｍｅ  Ｔｅｘｔ情報をパック形式で記録し、そのパック内の情報を複数のＡｕｄｉｏ  Ｏｂｊｅｃｔ  Ｐａｃｋ構成する音声情報の管理単位（Ａｕｄｉｏ  Ｏｂｊｅｃｔ  Ｅｎｔｒｙ）と同期して表示可能とする事でタイムサーチや高速再生、巻き戻しなどの特殊再生処理が非常に容易に行うことが可能となる。
【００５３】
３．図１９に示すように先にテキスト情報の先読みを行った後、テキスト情報と音声情報を同時に表示する方法を採用すると、音声情報やテキスト情報のアクセス時に生じる音切れ（音声情報の再生が止まる現象）やテキスト情報の表示遅れを起こすことなく、連続した音声情報とテキスト情報の表示が可能となる。
【００５４】
４．テキスト情報を表示せず、音声情報のみ記録、再生、編集する情報記録再生装置では、図１４〜図２０に示した方式を利用した場合、音声情報のみ部分消去や並び替えなどの編集処理を行う場合がある。
【００５５】
そのように音声専用機での編集処理後の情報記憶媒体をテキスト情報の表示処理も行う情報記録再生装置に掛けた場合には、本発明の実施の形態のように対応するＲｅａｌ  Ｔｉｍｅ  Ｔｅｘｔ  Ｏｂｊｅｃｔの同期関係修復を可能にする情報（最初に録音開始した時間情報）を音声情報とテキスト情報両者の管理情報に持たせる事により図２０に示した方法で同期関係の修復が可能となる。
【図面の簡単な説明】
【図１】本発明の実施の形態を説明するもので、Ａｕｄｉｏ  ＯｂｊｅｃｔとＲｅａｌ  Ｔｉｍｅ  Ｔｅｘｔ  Ｏｂｊｅｃｔ間の情報記憶媒体上の記録位置関係と表示タイミング関係を説明するために示す図。
【図２】同実施の形態における分割後の各Ａｕｄｉｏ  Ｏｂｊｅｃｔ間の関係を説明するために示す図。
【図３】同実施の形態における分割後の各Ａｕｄｉｏ  Ｏｂｊｅｃｔ間の関係を説明するために示す図。
【図４】同実施の形態におけるディスク形状の情報記憶媒体内に記録されたオーディオ情報に関するデーター構造を説明するために示す図。
【図５】同実施の形態における情報記憶媒体内での録再可能な音声情報が記録された音声ファイルのディレクトリー構造を説明するために示す図。
【図６】同実施の形態におけるＡｕｄｉｏ  Ｏｂｊｅｃｔ毎にＯｒｉｇｉｎａｌ  Ｒｅｃｏｒｄｉｎｇ  ｔｉｍｅ  Ｄｉｆｆｅｒｅｎｃｅと同一録音日内での録音番号またはＩＤ番号を設定する必要性に関して説明するために示す図。
【図７】同実施の形態における各Ｏｂｊｅｃｔ情報の情報記憶媒体への記録形式に関して説明するために示す図。
【図８】同実施の形態における情報記録再生装置内の構造を説明するために示すブロック構成図。
【図９】同実施の形態におけるＡｕｄｉｏ  Ｏｂｊｅｃｔ  ＥｎｔｒｙをＲｅａｌ  Ｔｉｍｅ  Ｔｅｘｔ表示開始タイミングで分割する場合の情報記憶媒体への音声情報記録方法を説明するために示すフローチャート。
【図１０】同実施の形態における特定の再生時間間隔でＡｕｄｉｏ  Ｏｂｊｅｃｔ  Ｅｎｔｒｙを分割する場合の情報記憶媒体への音声情報記録方法を説明するために示すフローチャート。
【図１１】同実施の形態における情報記憶媒体からの音声関連情報の再生方法を説明するために示すフローチャート。
【図１２】同実施の形態における音声関連情報に関する部分消去を説明するために示すフローチャート。
【図１３】同実施の形態における特定部分のテキスト情報を消去する方法を説明するために示すフローチャート。
【図１４】本発明の他の実施の形態を説明するもので、情報記憶媒体内に記録された録再可能な音声情報に関係した音声ファイル、テキストのディレクトリー構造を説明するために示す図。
【図１５】同他の実施の形態におけるディスク形状の情報記憶媒体内に記録されたオーディオ情報に関するデーター構造を説明するために示す図。
【図１６】同他の実施の形態におけるＯｂｊｅｃｔ  Ｆｉｌｅ内のデーター構造を説明するために示す図。
【図１７】同他の実施の形態におけるＲｅａｌ−Ｔｉｍｅ  Ｔｅｘｔ  Ｏｂｊｅｃｔ  Ｉｎｆｏｒｍａｔｉｏｎ内のデーター構造を説明するために示す図。
【図１８】同他の実施の形態における情報記憶媒体への音声関連情報の記録方法を説明するために示すフローチャート。
【図１９】同他の実施の形態における情報記憶媒体からの音声関連情報の再生方法を説明するために示すフローチャート。
【図２０】同他の実施の形態におけるＡｕｄｉｏ  Ｏｂｊｅｃｔ  ＩｎｆｏｒｍａｔｉｏｎとＡＲ＿ＲＴ＿Ｔｅｘｔ  Ｏｂｊｅｃｔ  Ｉｎｆｏｒｍａｔｉｏｎ間の関係修復方法を説明するために示すフローチャート。
【符号の説明】
４００…情報記憶媒体、
４０１…エンコーダ部、
４０２…デコーダ部、
４０９…ディスクドライブ部。
【図１】
0003586254.tif 000002
【図２】
0003586254.tif 000003
【図３】
0003586254.tif 000004
【図４】
0003586254.tif 000005
【図５】
0003586254.tif 000006
【図６】
0003586254.tif 000007
【図７】
0003586254.tif 000008
【図８】
0003586254.tif 000009
【図９】
0003586254.tif 000010
【図１０】
0003586254.tif 000011
【図１１】
0003586254.tif 000012
【図１２】
0003586254.tif 000013
【図１３】
0003586254.tif 000014
【図１４】
0003586254.tif 000015
【図１５】
0003586254.tif 000016
【図１６】
0003586254.tif 000017
【図１７】
0003586254.tif 000018
【図１８】
0003586254.tif 000019
【図１９】
0003586254.tif 000020
【図２０】
0003586254.tif 000021